【手続補正書】
【提出日】平成25年7月31日(2013.7.31)
【手続補正１】
【補正対象書類名】特許請求の範囲
【補正対象項目名】全文
【補正方法】変更
【補正の内容】
【特許請求の範囲】
【請求項１】
インクを吐出するための複数のノズルが配列された第１のノズル列と第２のノズル列とが前記ノズルの配列方向と交差する方向に並んで配置され、かつ、前記第１のノズル列および前記第２のノズル列の前記配列方向における位置が一部重複するように前記配列方向にずれて配置された記録ヘッドを、前記配列方向と交差する走査方向に複数回走査しつつ前記複数回の走査の間に前記走査方向と交差する方向に記録媒体を搬送することによって前記記録媒体に記録を行う記録装置であって、
前記第１のノズル列と前記第２のノズル列との前記配列方向における記録位置のずれ量に関するずれ量情報を取得するための第１の調整パターンと、前記記録媒体の搬送方向における搬送量に関する搬送量情報を取得するための第２の調整パターンとを前記記録媒体に記録するように前記記録ヘッドを制御する記録制御手段と、
前記第１の調整パターンに基づく前記ずれ量情報と、前記第２の調整パターンに基づく前記搬送量情報と、に基づいて前記記録媒体の搬送量を調整する搬送量調整手段と、を有する
ことを特徴とする記録装置。
【請求項２】
前記記録制御手段は、前記第１のノズル列および前記第２のノズル列の一方のノズル列を用いて前記第２の調整パターンを記録するように前記記録ヘッドを制御する
ことを特徴とする請求項１に記載の記録装置。
【請求項３】
前記記録制御手段は、
前記第１のノズル列および前記第２のノズル列の前記複数のノズルのうち、前記ずれ量情報に基づいて前記第２の調整パターンの記録に使用する使用ノズルを決定し、前記決定された前記第１のノズル列の前記使用ノズルを用いて前記第２の調整パターンの一部を前記記録媒体に記録し、前記第２の調整パターンの前記一部が前記第２のノズル列の前記使用ノズルに近づくように前記記録媒体が前記搬送方向に搬送された後に、前記決定された前記第２のノズル列の前記使用ノズルを用いて前記第２の調整パターンの他の一部を前記記録媒体に記録するように前記記録ヘッドを制御する
ことを特徴とする請求項１に記載の記録装置。
【請求項４】
前記記録制御手段は、前記一方のノズル列の一部のノズルを用いて前記第１の調整パターンの一部を前記記録媒体に記録し、前記記録媒体が前記搬送方向に所定の距離だけ搬送された後に、前記第１の調整パターンの前記一部が記録された領域に前記一方のノズル列の他の一部のノズルを用いて前記第１の調整パターンの他の一部を記録するように前記記録ヘッドを制御する
ことを特徴とする請求項２に記載の記録装置。
【請求項５】
前記ずれ量情報に基づいて、前記第１のノズル列による記録位置と、前記第２のノズル列による記録位置とを調整する記録位置調整手段をさらに有する
ことを特徴とする請求項１乃至４のいずれか１項に記載の記録装置。
【請求項６】
前記第１の調整パターンおよび前記第２の調整パターンを測定するセンサをさらに有し、
前記記録制御手段は、前記センサによって得られた前記第１の調整パターンの測定結果に基づいて前記使用ノズルを決定し、
前記搬送量調整手段は、前記センサによって得られた前記第２の調整パターンの測定結果に基づいて前記搬送量情報を取得する
ことを特徴とする請求項１乃至５のいずれか１項に記載の記録装置。
【請求項７】
前記第１のノズル列および前記第２のノズル列の各ノズルは、互いに同じ色のインクを吐出する
ことを特徴とする請求項１乃至６のいずれか１項に記載の記録装置。
【請求項８】
前記搬送量調整手段は、前記第１のノズル列又は前記第２のノズル列において隣接するノズル同士の間隔より小さい長さを単位として前記記録媒体の搬送量を調整することが可能である
ことを特徴とする請求項１乃至７のいずれか１項に記載の記録装置。
【請求項９】
インクを吐出するための複数のノズルが配列された第１のノズル列と第２のノズル列とが前記ノズルの配列方向と交差する方向に並んで配置され、かつ、前記第１のノズル列および前記第２のノズル列の前記配列方向における位置が一部重複するように前記配列方向にずれて配置された記録ヘッドを、前記配列方向と交差する走査方向に複数回走査しつつ前記複数回の走査の間に前記走査方向と交差する方向に記録媒体を搬送することによって前記記録媒体に記録を行う記録装置の記録位置調整方法であって、
前記第１のノズル列と前記第２のノズル列との前記配列方向における記録位置のずれ量に関するずれ量情報を取得するための第１の調整パターンと、前記記録媒体の搬送方向における搬送量に関する搬送量情報を取得するための第２の調整パターンとを前記記録媒体に記録する第１工程と、
前記第１の調整パターンに基づく前記ずれ量情報と、前記第２の調整パターンに基づく前記搬送量情報と、に基づいて前記記録媒体の搬送量を調整する第２工程と、を有する
ことを特徴とする記録装置の記録位置調整方法。
【請求項１０】
前記第１工程では、前記第１のノズル列および前記第２のノズル列の一方のノズル列を用いて前記第２の調整パターンを記録する
ことを特徴とする請求項９に記載の記録装置の記録位置調整方法。
【請求項１１】
前記第１工程では、
前記第１のノズル列および前記第２のノズル列の前記複数のノズルのうち、前記ずれ量情報に基づいて前記第２の調整パターンの記録に使用する使用ノズルを決定し、前記決定された前記第１のノズル列の前記使用ノズルを用いて前記第２の調整パターンの一部を前記記録媒体に記録し、前記第２の調整パターンの前記一部が前記第２のノズル列の前記使用ノズルに近づくように前記記録媒体を前記搬送方向に搬送した後に、前記第２のノズル列の前記使用ノズルを用いて前記第２の調整パターンの他の一部を前記記録媒体に記録する
ことを特徴とする請求項９に記載の記録装置の記録位置調整方法。
【請求項１２】
前記第１工程では、前記一方のノズル列の一部のノズルを用いて前記第１の調整パターンの一部を前記記録媒体に記録し、前記記録媒体を前記搬送方向に所定の距離だけ搬送した後に、前記第１の調整パターンの前記一部が記録された領域に前記一方のノズル列の他の一部のノズルを用いて前記第１の調整パターンの他の一部を記録するように前記記録ヘッドを制御する
ことを特徴とする請求項１０に記載の記録装置の記録位置調整方法。
【手続補正２】
【補正対象書類名】明細書
【補正対象項目名】０００９
【補正方法】変更
【補正の内容】
【０００９】
上記課題を解決するため、本発明の一態様は、インクを吐出するための複数のノズルが配列された第１のノズル列と第２のノズル列とが前記ノズルの配列方向と交差する方向に並んで配置され、かつ、前記第１のノズル列および前記第２のノズル列の前記配列方向における位置が一部重複するように前記配列方向にずれて配置された記録ヘッドを、前記配列方向と交差する走査方向に複数回走査しつつ前記複数回の走査の間に前記走査方向と交差する方向に記録媒体を搬送することによって前記記録媒体に記録を行う記録装置であって、前記第１のノズル列と前記第２のノズル列との前記配列方向における記録位置のずれ量に関するずれ量情報を取得するための第１の調整パターンと、前記記録媒体の搬送方向における搬送量に関する搬送量情報を取得するための第２の調整パターンとを前記記録媒体に記録するように前記記録ヘッドを制御する記録制御手段と、前記第１の調整パターンに基づく前記ずれ量情報と、前記第２の調整パターンに基づく前記搬送量情報と、に基づいて前記記録媒体の搬送量を調整する搬送量調整手段と、を有する。